(57)【要約】【課題】  氏名、住所、電話番号などの個人情報を使用することなく当該人員を特定し、現在位置を検索することを可能とし、前記当該人員と行き違いになることなく合流することを可能とする位置検索システムを提供する。【解決手段】  固有識別情報を有するＩＣタグ内蔵体と、ＩＣタグ内蔵体携帯者を一時的な識別情報により関係付け、前記固有識別情報と前記一時的な識別情報を併用することにより、個人情報を開示することなく、所定領域内でのＩＣタグ内蔵体携帯者の位置を検索し、検索対象となっていることを前記ＩＣタグ内蔵体携帯者に通知することにより、検索者との行き違いを防止することを可能とする。【選択図】  図２
2007141054.tif 000002
【特許請求の範囲】
【請求項１】
あらかじめ固有識別情報を有してなる複数のＩＣタグ内蔵体と、前記ＩＣタグ内蔵体の情報読み取り装置を備えた入退出口を有する１以上の閉領域と、前記固有識別情報と前記ＩＣタグ内蔵体携帯者とを一時的な識別情報で関連付ける登録装置と、前記固有識別情報と前記一時的な識別情報の組み合わせおよび前記情報読み取り装置によって得られた前記ＩＣタグ内蔵体携帯者の前記入退出口通過時刻から得られる入退出情報を用いて前記ＩＣタグ内蔵体携帯者の位置を検索する位置検索装置とからなり、前記読み取り装置、前記登録装置および前記位置検索装置は、ネットワーク接続されてなることを特徴とする位置検索システム。
【請求項２】
前記登録装置は、複数の前記ＩＣタグ内蔵体携帯者を１集団として認識し、前記位置検索装置は、前記１集団内においてのみ位置検索を行うことを特徴とする請求項１記載の位置検索システム。
【請求項３】
前記入退出口は、前記位置検索装置の検索結果に応じて、位置検索対象者である前記ＩＣタグ内蔵体携帯者に、位置検索対象となっていることを通知する手段を有することを特徴とする請求項１または請求項２記載の位置検索システム。
【発明の詳細な説明】
【技術分野】
【０００１】
本発明は、特定領域内の人員の位置を特定する位置検索システムに関し、特に、展示会、ショー、セミナーなどの各種イベント会場及びテーマパークなどの遊戯施設において、たとえば利用者の現在位置を特定するのに好適な位置検索システムに関する。
【背景技術】
【０００２】
展示会、ショー、セミナーなどの各種イベント会場やテーマパークなど多くの人が集まる会場においては、グループで来場した利用者同士がしばしば互いの位置を見失うことがある。一度互いを見失うと、会場の広さ、利用者の数にもよるが、自力で互いを発見することは困難である。
【０００３】
このような場合、会場内に設置された案内所を利用することになる。案内所では捜索対象利用者の個人情報から、放送による呼びかけや、係員が会場内を捜索するなどして対象利用者の発見を行っていた。
【０００４】
以上のような利用者の発見方法は、対象利用者発見までに多大な時間と労力を要するものであった。
【０００５】
このような人的労力を要する利用者の発見方法を改善するために、近年、ＩＣタグを利用した個別識別の方法が用いられている。ＩＣタグは内部に固有のＩＤデータやその他のデータを保持することができ、電波を利用して内部に保持するデータを送信することができる。このようなＩＣタグを利用者に所持させ、いざ利用者の位置がわからなくなった場合には、前記ＩＣタグの保持するデータを読み取り利用者の位置を特定する方法がある。
【０００６】
従来のＩＣタグを用いた位置検索システムについて、図９および図１０を用いて説明する。図９は、従来のＩＣタグを用いた位置検索システムの概念図である。図１０は従来の位置検索システムのフローチャートである。ＩＣタグ３２を所持したＩＣタグ所持者３１はＩＣタグ検知装置３４ａ、３４ｂ、３４ｃが設置された会場に入場する。ＩＣタグ３２には、図示しない入力装置を使用して、氏名、引率者名、住所、電話番号などのＩＣタグ所持者３１の個人情報を固有識別データとして入場前に入力しておく。ＩＣタグ所持者３１の現在位置が不明になった場合、会場内に設置されたＩＣタグ所持者検索装置３５にＩＣタグ３２に入力したＩＣタグ所持者３１の固有識別データを入力すると、ＩＣタグ検知装置３４ａ、３４ｂ、３４ｃにより入力した識別情報を保持するＩＣタグ３２が検出され、ＩＣタグ所持者検索装置３５にＩＣタグ３２を所持したＩＣタグ所持者３１の現在位置が表示される。このような位置検索システムは例えば、特許文献１に開示されている。
【０００７】
【特許文献１】特開２００３−２３３８９３号公報
【０００８】
上述した従来の位置検索システムでは、氏名、住所、電話番号など、ＩＣタグ所持者３１の個人情報をＩＣタグ３２に入力する必要があり、意図しない第三者によりＩＣタグ３２内の個人情報が読み取られる虞があった。また、個人情報によりＩＣタグ所持者３１の現在位置を検索するため、意図しない第三者にＩＣタグ所持者３１の現在位置を把握される虞もあった。
【０００９】
さらに従来の位置検索システムでは、検索を行った時点でのＩＣタグ所持者３１の位置しか把握できず、ＩＣタグ所持者３１に合流しようと移動している間にＩＣタグ所持者３１が検索された位置から移動してしまい、行き違いになる可能性があるという問題があった。
【発明の開示】
【発明が解決しようとする課題】
【００１０】
本発明の技術的課題は、氏名、住所、電話番号などの個人情報を使用することなく当該人員を特定し、現在位置を検索することを可能とする位置検索システムを提供することである。
【００１１】
また、本発明の他の課題は、上述のように行き違いになることを回避することを可能とする位置検索システムを提供することである。
【課題を解決するための手段】
【００１２】
本発明によれば、あらかじめ固有識別情報を有してなる複数のＩＣタグ内蔵体と、前記ＩＣタグ内蔵体の情報読み取り装置を備えた入退出口を有する１以上の閉領域と、前記固有識別情報と前記ＩＣタグ内蔵体携帯者とを一時的な識別情報で関連付ける登録装置と、前記固有識別情報と前記一時的な識別情報の組み合わせおよび前記情報読み取り装置によって得られた前記ＩＣタグ内蔵体携帯者の前記入退出口通過時刻から得られる入退出情報を用いて前記ＩＣタグ内蔵体携帯者の位置を検索する位置検索装置とからなり、前記読み取り装置、前記登録装置および前記位置検索装置は、ネットワーク接続されてなることを特徴とする位置検索システムが得られる。
【００１３】
本発明によれば、前記登録装置は、複数の前記ＩＣタグ内蔵体携帯者を１集団として認識し、前記位置検索装置は、前記１集団内においてのみ位置検索を行うことを特徴とする位置検索システムを得られる。
【００１４】
本発明によれば、前記入退出口は前記位置検索装置の検索結果に応じて、位置検索対象者である前記ＩＣタグ内蔵体携帯者に位置検索対象となっていることを通知する手段を有することを特徴とする位置検索システムを得られる。
【００１５】
本発明におけるＩＣタグ内蔵体とは、内部に固有識別情報を有したＩＣタグを有する識別体であり、その形状は例えば、チケット状やリストバンド状である。前記ＩＣタグの有する固有識別情報は、該ＩＣタグを特定することのできる各ＩＣタグ固有の識別情報であり、例えばＩＣタグの有するＩＤデータなどである。
【００１６】
本発明における一時的な識別情報とは、前記ＩＣタグ内蔵体携帯者の集団の中で各内蔵体携帯者を特定可能な情報であり、例えば該集団内における各々の称呼である。
【００１７】
本発明における閉領域とは、該領域からの入退出を管理可能な領域である。
【発明の効果】
【００１８】
本発明の位置検索システムを用いることにより、ＩＣタグ内蔵体携帯者の固有情報を使用することなく、当該ＩＣタグ内蔵体携帯者の位置検索が可能となる。さらに、位置検索を行ったＩＣタグ内蔵体携帯者に対し、呼び出しがかかっていることを通知することで、行き違いを防止することが可能となる。
【発明を実施するための最良の形態】
【００１９】
本発明の位置検索システムは、たとえばＩＣタグを内蔵した電子チケットが本来有する固有識別番号と、利用者が利用形態にあわせて、その都度設定する一時的な識別情報を併用することにより、個人情報を開示することなく、所定領域内での利用者の位置を検索するものである。上記、一時的な識別情報は、例えばイベント会場来場時に、利用者で構成する少人数の団体内で独自に呼称を設定し、万一、迷子のような現在位置不明者が発生した場合は、上記一時的な識別情報から当該現在位置不明者の所持する電子チケットの固有識別情報を特定し、該固有識別情報を有する電子チケット保持者の現在位置を、ネットワークを介して検索し、当該団体員にネットワークを通じて連絡する。
【００２０】
図１は、本発明の位置検索システムの概念図である。ＩＣタグを内蔵した電子チケット２ａ、２ｂを利用するイベント会場であって、入場ゲート１１ａ、１１ｂ、１１ｃ及び退場ゲート１２ａ、１２ｂ、１２ｃにより入退場が管理される各イベントブース１３ａ、１３ｂ、１３ｃと、複数のグループ登録用端末３ａ、３ｂと、複数の利用者検索用端末４ａ、４ｂ、４ｃと、管理サーバ１４から構成される。
【００２１】
電子チケット２ａ、２ｂに内蔵されるＩＣタグは、それぞれ固有データを保持し、この固有データを電子チケット２ａ、２ｂのＩＤとして扱う。各入場ゲート１１ａ、１１ｂ、１１ｃ、退場ゲート１２ａ、１２ｂ、１２ｃ、グループ登録用端末３ａ、３ｂ、利用者検索用端末４ａ、４ｂ、４ｃには電子チケット２ａ、２ｂのＩＤ読み取り装置が内蔵されている。またグループ登録用端末３ａ、３ｂ、及び利用者検索用端末４ａ、４ｂ、４ｃには情報表示用のディスプレイが具備されている。
【００２２】
管理サーバ１４はネットワーク１５により各入場ゲート１１ａ、１１ｂ、１１ｃ、退場ゲート１２ａ、１２ｂ、１２ｃ、グループ登録用端末３ａ、３ｂ、利用者検索用端末４ａ、４ｂ、４ｃとは接続され、データの通信を行うことができる。
【００２３】
図２は、本発明の位置検索システムのフローチャートである。イベント会場に入場した利用者１ａおよび１ｂは、グループ登録端末３ａで、２人が１グループとして、この会場での称呼を登録し、入場する。このイベント会場には、図１に示したように３つのイベントブースがあり、利用者１ａおよび１ｂの入退場に応じて、２人の位置情報が更新される。万一、２人がはぐれた場合は、一方が利用者検索用端末４ａ、４ｂ、４ｃのいずれかにＩＤを入力して、検索すると同一グループを構成するメンバーすなわちこの場合は２人の称呼が表示されて、他方の位置を検索することができる。
【００２４】
図３は、本発明のグループ登録のフローチャートである。友人同士の利用者１ａ、１ｂ（以下、図１も参照）は入り口でそれぞれ電子チケット２ａ、２ｂを購入しイベント会場に入場する。利用者１ａ、１ｂは、まず入り口付近に設置されたグループ登録用端末３ａを利用して、２人でひとつのグループを構成し、グループ登録を行う。
【００２５】
まず利用者１ａの電子チケット２ａのＩＤをグループ登録用端末３ａに読み取らせる。読み取られたＩＤはディスプレイに表示される。次にＩＤに関連付けるこの会場内における各々の称呼（以下、ニックネームと表記）を入力する。ニックネームは登録するグループ内で識別できるものであれば何でもよい。利用者１ａニックネーム「やまだ」の入力を終了したら、今度は利用者１ｂが同様の操作を行い、電子チケット２ｂのＩＤの読み取りとニックネーム「たろう」の入力を行う。以上の操作を登録したいグループの人数分、すなわちこの場合は２人分行う。グループの人数分の操作を終了したらディスプレイに表示される「登録」キーをタッチしてグループの登録操作を行う。
【００２６】
登録操作が行われると、グループ登録用端末３ａは読み取った電子チケット２ａ、２ｂのＩＤと、入力されたニックネームを、ネットワーク１５を介して管理サーバ１４に送信する。管理サーバ１４はデータベースとして、図４に示す本発明のグループ情報テーブルを有する。
【００２７】
続いて、管理サーバは、グループ登録用端末３ａから受信した電子チケット２ａ、２ｂのＩＤとニックネームに、管理サーバ１４が生成したグループ番号を付加してデータベースに登録する。データベースの登録が完了すると、管理サーバ１４はグループ登録用端末３ａに登録操作の完了信号を送信する。管理サーバ１４から登録操作の完了信号を受信したグループ登録用端末３ａはディスプレイに登録完了のメッセージを表示し、グループ登録が完了した旨を利用者１ａ、１ｂに通知する。以上により利用者１ａ、１ｂのグループ登録は完了する。
【００２８】
図５は、本発明の位置情報更新のフローチャートである。各イベントブース１３ａ、１３ｂ、１３ｃには、電子チケット２ａ、２ｂに内蔵されたＩＣタグの読み取り装置を備えた入場ゲート１１ａ、１１ｂ、１１ｃ、退場ゲート１２ａ、１２ｂ、１２ｃが設けられており、利用者１ａは入退場の際に各ゲートに所持する電子チケット２ａをかざしてゲートに電子チケット２ａのＩＤを読み取らせる。電子チケット２ａのＩＤを読み取った入場ゲート１１ａ、１１ｂ、１１ｃまたは退場ゲート１２ａ、１２ｂ、１２ｃはネットワーク１５を介して管理サーバ１４へ読み取ったＩＤ、設置されているブース番号、入退の情報を送信する。
【００２９】
入場ゲート１１ａ、１１ｂ、１１ｃまたは退場ゲート１２ａ、１２ｂ、１２ｃから電子チケット２ａ、２ｂのＩＤ、入退場の情報を受信した管理サーバ１４は、前記情報の送信元から、イベントブースの位置と、入退場の状態を特定し、図６に示す本発明の位置情報テーブルを新規作成または更新する。また、入退場の時刻は、管理サーバ１４が保持する現在時刻により特定する。
【００３０】
以上の動作は、利用者１ａ、１ｂのイベントブース１３ａ、１３ｂ、１３ｃの入退場の都度行われる。
【００３１】
図７は、本発明の位置検索のフローチャートである。利用者１ａとはぐれた利用者１ｂは最寄りの利用者検索用端末４ａに所持している電子チケット２ａのＩＤを読み取らせる。利用者検索用端末４ａは読み取った利用者１ｂのＩＤを、ネットワーク１５を介して管理サーバ１４に送信する。
【００３２】
利用者検索用端末４ａからＩＤを受信した管理サーバ１４は、図４に示した本発明のグループ情報テーブルから、受信した利用者１ｂのＩＤのグループ番号を検索し、同一のグループに属する利用者１ａ、１ｂのリストを、利用者検索用端末４ａに返信する。利用者検索用端末４ａは管理サーバ１４から利用者１ｂと同一グループに属する利用者１ａのリストを受信し、受信したリストからグループの利用者１ａのニックネームをディスプレイに表示する。
【００３３】
利用者１ｂはディスプレイに表示されたニックネームのリストの中から、位置検索を行いたい利用者１ａのニックネーム「やまだ」を選択する。利用者検索用端末４ａは選択されたニックネームに関連付けられたＩＤの現在位置を管理サーバ１４に問い合わせる。管理サーバ１４は利用者検索用端末４ａからの問い合わせに対し、図６に示した本発明の位置情報テーブルから問い合わせのあった利用者１ａのＩＤの現在位置を取得し、取得した現在位置を利用者検索用端末４ａに返信する。利用者検索用端末４ａは管理サーバ１４から問い合わせに対する返信を受信し、受信した現在位置を利用者１ａの位置検索結果としてディスプレイに表示され、利用者１ｂは利用者１ａの現在位置をしることができる。
【００３４】
以上のように利用者１ａ、１ｂの固有情報を使用することなく、ニックネームと電子チケット２ａ、２ｂのＩＤのみで利用者１ａ、１ｂの管理を行うため、利用者１ａ、１ｂの固有情報の第三者への漏洩を防止が可能となる。また、登録された同一グループ内の利用者１ａ、１ｂに対してのみ位置情報の検索を行うことができるため、第三者に利用者の位置情報を把握される恐れも回避可能となる。
【００３５】
前述の位置検索後、利用者１ｂは位置検索対象である利用者１ａに対し呼び出しをかけることが可能である。利用者検索用端末４ａは利用者１ａの現在位置と共に呼び出しボタンをディスプレイに表示する。利用者１ｂは利用者１ａに対して呼び出しをかけたい場合、ディスプレイに表示された呼び出しボタンを押し、呼び出しを実行する。
【００３６】
呼び出しが実行されると、利用者検索用端末４ａは管理サーバ１４に対し利用者１ａのＩＤを送信し呼び出しを要求する。利用者検索用端末４ａから利用者１ａの呼び出し要求を受けた管理サーバ１４は、図６に示した本発明の位置情報テーブルから要求のあったＩＤの現在位置を取得し、現在位置のイベントブースの退場ゲート１２ｂにネットワーク１５を介して利用者１ａのＩＤを送信する。各イベントブース１３ａ、１３ｂ、１３ｃの退場ゲート１２ａ、１２ｂ、１２ｃはＩＤを保持する記憶領域を備え、管理サーバ１４から配信された呼び出しＩＤを前記記憶領域に保持する。
【００３７】
呼び出しＩＤを保持している退場ゲート１２ｂは、利用者１ａの退場時に電子チケット２ａのＩＤを読み取り、読み取ったＩＤと記憶領域に保持しているＩＤとの比較を行い、記憶領域に保持しているＩＤと読み取ったＩＤが同一であることを確認した場合、そのＩＤの所持者利用者１ａあるいは係員に対し、呼び出しがかけられていることを通知する。通知の方法としては、ゲートを閉める、ブザーを鳴らす、ランプを点灯するなどの方法を用いることが可能である。なお、一般的な通知の方法であれば、前述に限定されるわけではない。
【００３８】
以上により利用者１ａは利用者１ｂが自分の現在位置を把握していることを知ることができ、利用者１ｂを探し回ることで発生する行き違いを回避することができる。
【実施例】
【００３９】
以下、本発明の実施の形態について、実施例を用いて具体的に説明する。
【００４０】
図８は本発明の実施例を示す説明図である。利用者同士で位置の検索が行えるように、グループ登録用端末３ａ、３ｂと、利用者検索用端末４ａ〜４ｅと、管理サーバ１４を展示会会場に設置した。グループ登録用端末３ａ、３ｂ及び利用者検索用端末４ａ〜４ｅと、管理サーバはＬＡＮケーブル１８により接続した。展示会会場の各展示ブース１６ａ〜１６ｅの出入り口にはＩＣタグ読み取り装置を内蔵した入場ゲート１１ａ〜１１ｅ及び退場ゲート１２ａ〜１２ｅを設置した。入場ゲート１１ａ〜１１ｅ及び退場ゲート１２ａ〜１２ｅともに管理サーバ１４にＬＡＮケーブル１８によって接続した。また退場ゲート１２ａ〜１２ｅには利用者に呼び出しがかかっていることを通知する呼び出し通知ランプを取り付けた。
【００４１】
ＩＣタグを内蔵した電子チケットを、受付１７にて利用者に配布し、利用者が電子チケットのＩＤを使用して、グループ登録及びグループメンバーの位置情報を検索可能とした。電子チケットに内蔵したＩＣタグは、データの送信に１３．５６ＭＨｚの周波数の電波を使用し、ＩＣタグの読み取り機か装置からの電波により、動作に必要な電力を生成するタイプのものである。
【００４２】
利用者１ａとはぐれた利用者１ｂは、最寄りの利用者検索用端末４ｂより上述の手順で検索を実行したところ、利用者検索用端末４ｂのディスプレイに利用者１ａのニックネーム「やまだ」が表示され、利用者１ａが展示ブース１６ｂにいることを容易に把握することができた。
【００４３】
また、利用者１ｂは、前記利用者１ａの位置検索実行時に、利用者１ａに対し呼び出しボタンを押して、呼び出しをかけたので、利用者１ａが展示ブース１６ｂから退場しようとした際に、退場ゲート１２ｂの呼び出し通知ランプが点灯し、利用者１ａは呼び出しがかかっていることを知り、展示ブース１６ｂにて利用者１ｂを待った。この結果、１０分後に利用者１ａと利用者１ｂは行き違いになることなく合流した。位置検索及び呼び出しにはあらかじめ登録したグループ番号とニックネームのみで行ったため固有情報が漏洩することはなかった。
【００４４】
比較例として、従来のシステムで同様の位置検索を実行した。図１１は従来のシステムを示す説明図である。展示会会場にＩＣタグ発行機３９ａ、３９ｂと、ＩＣタグ登録装置４０ａ、４０ｂと、ＩＣタグ所持者検索装置３８ａ〜３８ｅと、ＩＣタグ検知装置３７ａ〜３７ｅと、位置検索機能を備えるサーバ４１を設置し、それぞれをＬＡＮケーブ１８により接続した。
【００４５】
利用者１ｂはＩＣタグ発行機３９ａからＩＣタグ３２を購入し、利用者１ａの固有情報を、ＩＣタグ登録装置４０ｂを使用してＩＣタグ３２に入力し、固有情報の入力されたＩＣタグ３２を利用者１ａに所持させた。利用者１ａとはぐれてしまった利用者１ｂは最寄りのＩＣタグ所持者検索装置３８ｂを使用して利用者１ａの固有情報を入力したが、誤った個人情報を入力したために、ほかの利用者の位置情報を個人情報と共に入手し、再度、検索をやり直した結果、固有情報に関連付けられたＩＣタグ３２を所持した利用者１ａの位置を検索することができた。
【００４６】
利用者１ｂは、はぐれた利用者１ａの位置情報を検索することは可能であったが、利用者１ｂが検索した位置に到着した時に利用者１ａはその位置から既に移動しており、行き違いとなったため、同様の手順で、再度位置検索を行い、３０分後にようやく合流した。
【００４７】
なお、本実施例では、ＩＣタグ内蔵体にＩＣタグを内蔵した電子チケットを用いたが、ＩＣタグを内蔵するものであれば、電子チケットの他に、リストバンド、カードなどのいずれを用いても同様の効果が得られた。
【００４８】
また、本実施例では、データの送信に１３．５６ＭＨｚの周波数の電波を使用するＩＣタグを用いたが、ＩＣタグの使用する電波の周波数は特に１３．５６ＭＨｚに限るものではなく、９５０ＭＨｚ、２．４５ＧＨｚの電波を使用するＩＣタグでも同様の効果が得られた。
【００４９】
また、本実施例では、読み取り装置から放射される電波から動作に必要な電力を生成するＩＣタグを用いたが、内蔵した電池により動作に必要な電力を供給するＩＣタグをでも同様の効果が得られた。
【００５０】
また、本実施例では、位置検索を行った利用者に対する呼び出しの通知にはランプを用いたが、利用者に呼び出しを通知できるものであれば、ランプの点灯の他に、ブザー、ゲートの開閉、ディスプレイなどのいずれかを単独あるいは併用しても同様の効果を得られた。利用者へ呼び出しの通知を確実に行うために、ゲートの開閉を用いることがより好ましい。
【００５１】
また、本発明で用いる一時的な識別情報は、文字、数字、記号などの任意の組み合わせで入力可能であるが、必要に応じて情報長や使用可能な文字等を制限してもよい。
【００５２】
以上、実施例を用いて、この発明の実施の形態を説明したが、この発明は、これらの実施例に限られるものではなく、この発明の要旨を逸脱しない範囲の設計変更があっても本発明に含まれる。すなわち、当業者であれば、当然なしえるであろう各種変形、修正もまた本発明に含まれる。
【産業上の利用可能性】
【００５３】
本発明を用いることにより、展示会などの各種イベントやテーマパーク等に適用可能な、固有情報の保護に優れる多様な形態の位置検索システムを構築できる。
【図面の簡単な説明】
【００５４】
【図１】本発明の位置検索システムの概念図。
【図２】本発明の位置検索システムのフローチャート。
【図３】利用者のグループ登録のフローチャート。
【図４】本発明のグループ情報テーブルを示す図。
【図５】本発明の位置情報更新のフローチャート。
【図６】本発明の位置情報テーブル。
【図７】本発明の位置検索のフローチャート。
【図８】本発明の実施例を示す説明図。
【図９】従来のＩＣタグを用いた位置検索システムの概念図。
【図１０】従来の位置検索システムのフローチャート。
【図１１】従来のシステムを示す説明図。
【符号の説明】
【００５５】
１ａ、１ｂ    利用者
２ａ、２ｂ    電子チケット
３ａ、３ｂ    グループ登録用端末
４ａ〜４ｅ    利用者検索用端末
１１ａ〜１１ｅ    入場ゲート
１２ａ〜１２ｅ    退場ゲート
１３ａ〜１３ｃ    イベントブース
１４    管理サーバ
１５    ネットワーク
１６ａ〜１６ｅ    展示ブース
１７    受付
１８    ＬＡＮケーブル
３１    ＩＣタグ所持者
３２    ＩＣタグ
３３    位置検索装置
３４ａ〜３４ｃ、３７ａ〜３７ｅ    ＩＣタグ検知装置
３５、３８ａ〜３８ｅ    ＩＣタグ所持者検索装置
３６    検索者
３９ａ、３９ｂ    ＩＣタグ発行機
４０ａ、４０ｂ    ＩＣタグ登録装置
４１    位置検索機能を備えるサーバ
【図１】
2007141054.tif 000003
【図２】
2007141054.tif 000004
【図３】
2007141054.tif 000005
【図４】
2007141054.tif 000006
【図５】
2007141054.tif 000007
【図６】
2007141054.tif 000008
【図７】
2007141054.tif 000009
【図８】
2007141054.tif 000010
【図９】
2007141054.tif 000011
【図１０】
2007141054.tif 000012
【図１１】
2007141054.tif 000013